(57)【要約】【課題】後段増幅器の共有化を図りつつ、トランスインピーダンス型増幅器のゲインを対応するレーザー波長並びに記録時および再生時の各レーザー光のパワーに対して最適化する。【解決手段】２種類の波長に対応して設けられた２個の受光部（受光素子Ａ，ａ）と、帰還入力部に受光部のうちの対応する１つが接続された前段増幅器２２，３２と、前段増幅器２２，３２から出力される電圧信号Ｖ１を増幅する出力バッファ２３と、前段増幅器２２，３２の帰還入力部と出力バッファの出力部との間に接続可能な帰還用抵抗２４ａ〜３５ｂと、前段増幅器２２，３２のうちのオン状態の前段増幅器２２と出力バッファとの間に帰還用抵抗２４ａ〜３５ｂのうちの１つを切り替え接続する切替部２６，３６とを備え、オン状態にある前段増幅器２２に接続された受光部の出力電流を電圧に変換すると共に増幅して電圧信号Ｖ３として出力する。【選択図】図４
2008159106.tif 000002
【特許請求の範囲】
【請求項１】
ｎ（ｎは２以上の整数）種類の異なる波長にそれぞれ対応して設けられたｎ個の受光部と、
帰還入力部に前記各受光部のうちの対応する１つがそれぞれ接続されてオン・オフ制御が可能なｎ個の前段増幅器と、
前記各前段増幅器から出力される電圧信号を増幅する１つの後段増幅器と、
前記各前段増幅器の各々の前記帰還入力部と前記後段増幅器の出力部との間に接続可能なｍ（ｍは２以上の整数）個の帰還用抵抗と、
前記各前段増幅器のうちのオン状態にある１つの前段増幅器の前記帰還入力部と前記後段増幅器の前記出力部との間に前記ｍ個の帰還用抵抗のうちの１つを切り替え接続する切替部とを備え、
前記オン状態にある前記１つの前段増幅器に接続された前記受光部の出力電流を電圧に変換すると共に増幅して電圧信号として出力する光ピックアップ用受光装置。
【請求項２】
請求項１記載の光ピックアップ用受光装置と、
ｎ種類の異なる波長のレーザー光を出射する発光部と、
前記レーザー光を光ディスクに照射すると共に当該光ディスクからの反射光を前記光ピックアップ用受光装置に導く光学系とを備えている光ピックアップ装置。
【発明の詳細な説明】
【技術分野】
【０００１】
本発明は、ｎ（ｎは２以上の整数）種類の異なる波長に対応したｎ個の受光部を備えた光ピックアップ用受光装置、およびその光ピックアップ用受光装置を備えた光ピックアップ装置に関するものである。
【背景技術】
【０００２】
この種の光ピックアップ用受光装置として、特開２００４−２２０５１号公報に開示された受光装置（受光アンプ素子）が知られている。この受光装置は、ＤＶＤおよびＣＤに対する再生装置に使用されるものであり、ＤＶＤ用およびＣＤ用の２つの受光部と、各受光部に接続されたＤＶＤ用およびＣＤ用の２つのトランスインピーダンス型増幅器と、各トランスインピーダンス型増幅器の出力を電圧増幅する電圧増幅器とを備えている。この場合、ＤＶＤ側およびＣＤ側の各トランスインピーダンス型増幅器は、差動器、カレントミラー回路、出力バッファ回路および帰還回路でそれぞれ構成されている。この場合、カレントミラー回路は、ＤＶＤ側およびＣＤ側の各差動器に対する共通の能動負荷であり、２つの差動器に対する共通の出力であるその一方のトランジスタのコレクタは、１つの出力バッファ回路を介して信号出力を行っている。
【０００３】
この受光装置では、ＤＶＤ用およびＣＤ用の２つの受光部と、各受光部に接続されたＤＶＤ用およびＣＤ用の２つのトランスインピーダンス型増幅器とを備える構成とし、かつ各トランスインピーダンス型増幅器の帰還定数（利得）をＤＶＤ用およびＣＤ用の各レーザー波長に対して最適値に設定して、２波長レーザー光に対応した出力を得ると共に、２つのトランスインピーダンス型増幅器の出力段（上記の出力バッファ回路）を共通化することにより、チップサイズの拡大を抑制している。
【特許文献１】特開２００４−２２０５１号公報（第４−７頁、第３−４図）
【発明の開示】
【発明が解決しようとする課題】
【０００４】
ところが、従来の受光装置には、以下の問題点がある。すなわち、この受光装置は再生装置での使用を前提としている。このため、ＤＶＤ−ＲやＣＤ−Ｒなどの記録および再生の双方が行われる情報媒体用の記録再生装置のように、記録時と再生時とでレーザー光のパワーを変える装置に採用した場合、この受光装置では、レーザー光のパワーに対応させて各トランスインピーダンス型増幅器の利得を変えることができないこととなる。したがって、この受光装置には、記録時と再生時の各レーザー光のパワーの差に応じて、各トランスインピーダンス型増幅器の回路特性（特に利得）を最適に調整することができないという問題点が存在している。
【０００５】
本発明は、かかる問題点を解決すべくなされたものであり、後段増幅器の共有化を図りつつ、各トランスインピーダンス型増幅器の回路特性（利得）を対応するレーザー波長、並びに記録時および再生時の各レーザー光のパワーに対して最適化し得る光ピックアップ用受光装置および光ピックアップ装置を提供することを主目的とする。
【課題を解決するための手段】
【０００６】
上記目的を達成すべく本発明に係る光ピックアップ用受光装置は、ｎ（ｎは２以上の整数）種類の異なる波長にそれぞれ対応して設けられたｎ個の受光部と、帰還入力部に前記各受光部のうちの対応する１つがそれぞれ接続されてオン・オフ制御が可能なｎ個の前段増幅器と、前記各前段増幅器から出力される電圧信号を増幅する１つの後段増幅器と、前記各前段増幅器の各々の前記帰還入力部と前記後段増幅器の出力部との間に接続可能なｍ（ｍは２以上の整数）個の帰還用抵抗と、前記各前段増幅器のうちのオン状態にある１つの前段増幅器の前記帰還入力部と前記後段増幅器の前記出力部との間に前記ｍ個の帰還用抵抗のうちの１つを切り替え接続する切替部とを備え、前記オン状態にある前記１つの前段増幅器に接続された前記受光部の出力電流を電圧に変換すると共に増幅して電圧信号として出力する。
【０００７】
また、本発明に係る光ピックアップ装置は、上記の光ピックアップ用受光装置と、ｎ種類の異なる波長のレーザー光を出射する発光部と、前記レーザー光を光ディスクに照射すると共に当該光ディスクからの反射光を前記光ピックアップ用受光装置に導く光学系とを備えている。
【発明の効果】
【０００８】
本発明に係る光ピックアップ用受光装置および光ピックアップ装置によれば、例えば、記録型ＤＶＤへの記録、ＤＶＤの再生、記録型ＣＤへの記録、およびＣＤの再生のいずれの処理においても、各受光部の出力電流を電圧に変換すると共に、各処理について予め決定された最適なゲインで増幅して電圧信号として出力することができる。また、この光ピックアップ用受光装置によれば、ｎ個の前段増幅器をオン・オフ制御が可能な構成としたことにより、１つがオン状態（作動状態）のときに残りの全てを常にオフ状態（非作動状態）とすることができる結果、１つの後段増幅器をｎ個の前段増幅器で共有することができる。したがって、チップサイズの拡大を抑制することができる。
【発明を実施するための最良の形態】
【０００９】
以下、本発明に係る光ピックアップ用受光装置および光ピックアップ装置の最良の形態について、添付図面を参照して説明する。
【００１０】
最初に、光ピックアップ装置１の構成について、図面を参照して説明する。
【００１１】
図１に示す光ピックアップ装置１は、ＤＶＤ−Ｒ、ＤＶＤ＋Ｒ、ＤＶＤ−ＲＷ、ＤＶＤ＋ＲＷおよびＤＶＤ−ＲＡＭなどの記録型ＤＶＤや、ＣＤ−ＲおよびＣＤ−ＲＷなどの記録型ＣＤのように、記録および再生の双方が行われる情報媒体１０に対する記録・再生動作、およびＤＶＤ−ＲＯＭやＣＤ−ＲＯＭなどの再生のみが行われる情報媒体１０に対する再生動作を実行する記録再生装置に使用される光ピックアップ装置であって、同図に示すように、レーザーダイオード２、光学系３、および光ピックアップ用受光装置（以下、「受光装置」ともいう）４を備えて構成されている。なお、以下において、特に区別しないときには、ＤＶＤ−Ｒ、ＤＶＤ＋Ｒ、ＤＶＤ−ＲＷ、ＤＶＤ＋ＲＷ、ＤＶＤ−ＲＡＭおよびＤＶＤ−ＲＯＭを総称して「ＤＶＤ」ともいう。同様にして、ＣＤ−Ｒ、ＣＤ−ＲＷおよびＣＤ−ＲＯＭを総称して「ＣＤ」ともいう。
【００１２】
レーザーダイオード２（本発明における発光部）は、ｎ（ｎは２以上の整数。本例では一例として、ｎ＝２）波長レーザーダイオードであって、ＣＤの記録・再生に必要な７８０ｎｍ帯レーザー光とＤＶＤの記録・再生に必要な６５０ｎｍ帯レーザー光を一つのパッケージから出力（出射）可能に構成されている。光学系３は、一例として、プリズム３ａと集光レンズ３ｂを備えている。また、光学系３は、レーザーダイオード２から出力されたレーザー光を集光レンズ３ｂで集光して情報媒体１０に照射すると共に、情報媒体１０で反射されたレーザー光をプリズム３ａで受光装置４側に屈折させて、レーザー光を受光装置４に導くように構成されている。
【００１３】
受光装置４は、図２，３に示すように、ｎ種類の異なる波長にそれぞれ対応して設けられたｎ個（本例では２個）の受光部１１，１２、および複数（本例では一例として８個）の変換部１３ａ〜１３ｈを備え、１つの半導体装置（ＰＤＩＣ）として構成されている。この場合、受光部１１は、ＤＶＤ用の受光部であって、図３に示すように、複数（本例では一例として１２個）の受光素子Ａ，Ｂ，Ｃ，Ｄ，Ｅ１〜Ｅ４，Ｆ１〜Ｆ４を備えている。一方、受光部１２は、ＣＤ用の受光部であって、同図に示すように、複数（本例では一例として８個）の受光素子ａ，ｂ，ｃ，ｄ，ｅ１，ｅ２，ｆ１，ｆ２を備えている。
【００１４】
また、受光部１１を構成する各受光素子Ａ〜Ｆ４は、図３に示すように３群に分けて配設されて、各受光素子Ａ，Ｂ，Ｃ，Ｄで構成される１群は、受光部１１におけるメイン受光群１１ａを構成する。一方、メイン受光群１１ａを挟むようにして配設された受光素子Ｅ１〜Ｅ４で構成される１群、および受光素子Ｆ１〜Ｆ４で構成される１群は、受光部１１におけるサブ受光群１１ｂ，１１ｃをそれぞれ構成する。同様にして、受光部１２を構成する各受光素子ａ〜ｆ２も、同図に示すように３群に分けて配設されて、各受光素子ａ，ｂ，ｃ，ｄで構成される１群は、受光部１２におけるメイン受光群１２ａを構成する。一方、メイン受光群１２ａを挟むようにして配設された受光素子ｅ１，ｅ２で構成される１群、および受光素子ｆ１，ｆ２で構成される１群は、受光部１２におけるサブ受光群１２ｂ，１２ｃをそれぞれ構成する。
【００１５】
各変換部１３ａ〜１３ｈのうちの変換部１３ａは、図４に示すように、ｎ個（本例では２個）のトランスインピーダンス型増幅回路（以下、「第１増幅回路」ともいう）２１，３１と、１つの第２増幅回路４１とを備えている。詳細には、第１増幅回路２１は、前段増幅器２２、出力バッファ（本発明における後段増幅器）２３、２つの帰還回路２４，２５および切替スイッチ（本発明における切替部）２６を備えて構成されている。第１増幅回路３１は、前段増幅器３２、出力バッファ２３、２つの帰還回路３４，３５、および切替スイッチ（本発明における切替部）３６を備えて構成されている。なお、本例では後段増幅器として、ゲインが１倍の出力バッファを用いているが、ゲインが１倍を超える増幅器を用いることもできる。
【００１６】
この場合、前段増幅器２２は、反転入力部（本発明における帰還入力部）に受光部１１の受光素子Ａが接続されると共に、非反転入力部に基準電圧Ｖｒｅｆが入力され、かつ出力部は出力バッファ２３の入力部に接続されて構成されている。また、前段増幅器２２は、制御信号Ｓ１によってオン・オフ制御が可能に構成されて、本例では一例として、制御信号Ｓ１の非入力時にオン状態となり、制御信号Ｓ１の入力時にオフ状態となる。一方、前段増幅器３２は、反転入力部（本発明における帰還入力部）に受光部１１の受光素子ａが接続されると共に、非反転入力部に基準電圧Ｖｒｅｆが入力され、かつ出力部は前段増幅器２２と同様にして出力バッファ２３の入力部に接続されて構成されている。また、前段増幅器３２は、制御信号Ｓ１によってオン・オフ制御が可能に構成されて、本例では一例として、制御信号Ｓ１の入力時にオン状態となり、制御信号Ｓ１の非入力時にオフ状態となる。このように各前段増幅器２２，３２は、一方がオン状態（作動状態）のときに他方が常にオフ状態（非作動状態）となる構成のため、１つの出力バッファ２３を共有可能な構成となっている。なお、基準電圧Ｖｒｅｆは、受光装置４の内部に配設された不図示の基準電圧生成部によって生成される。出力バッファ２３は、前段増幅器２２，３２から出力された電圧信号Ｖ１，Ｖ２を緩衝増幅（利得１での増幅）して第２増幅回路４１に出力する。
【００１７】
帰還回路２４は、並列接続された抵抗（本発明における帰還用抵抗）２４ａおよびコンデンサ２４ｂで構成されると共に、前段増幅器２２の反転入力部と出力バッファ２３の出力部との間に接続可能に構成されて、記録型ＤＶＤに記録するときの帰還回路として機能する。帰還回路２５は、並列接続された抵抗（本発明における帰還用抵抗）２５ａおよびコンデンサ２５ｂで構成されると共に、前段増幅器２２の反転入力部と出力バッファ２３の出力部との間に接続可能に構成されて、ＤＶＤを再生するときの帰還回路として機能する。切替スイッチ２６は、トランジスタなどの半導体スイッチで構成されて、制御信号Ｓ２の非入力時において、前段増幅器２２の反転入力部と出力バッファ２３の出力部との間に帰還回路２４を切り替え接続し、制御信号Ｓ２の入力時において、前段増幅器２２の反転入力部と出力バッファ２３の出力部との間に帰還回路２５を切り替え接続する。
【００１８】
帰還回路３４は、並列接続された抵抗（本発明における帰還用抵抗）３４ａおよびコンデンサ３４ｂで構成されると共に、前段増幅器３２の反転入力部と出力バッファ２３の出力部との間に接続可能に構成されて、記録型ＣＤに記録するときの帰還回路として機能する。帰還回路３５は、並列接続された抵抗（本発明における帰還用抵抗）３５ａおよびコンデンサ３５ｂで構成されると共に、前段増幅器３２の反転入力部と出力バッファ２３の出力部との間に接続可能に構成されて、ＣＤを再生するときの帰還回路として機能する。切替スイッチ３６は、トランジスタなどの半導体スイッチで構成されて、制御信号Ｓ３の非入力時において、前段増幅器３２の反転入力部と出力バッファ２３の出力部との間に帰還回路３４を切り替え接続し、制御信号Ｓ３の入力時において、前段増幅器３２の反転入力部と出力バッファ２３の出力部との間に帰還回路３５を切り替え接続する。この場合、帰還用抵抗である４本（本発明における数値ｍが４）の抵抗２４ａ，２５ａ，３４ａ，３５ａの各抵抗値は、ＤＶＤへの記録時、ＤＶＤの再生時、ＣＤへの記録時およびＣＤの再生時において、変換部１３ａのゲイン（利得）、具体的には、前段増幅器２２および出力バッファ２３から構成される第１増幅回路２１のゲインと、前段増幅器３２および出力バッファ２３から構成される他の第１増幅回路３１のゲインとが、対応するレーザー波長、並びに記録時および再生時の各レーザー光のパワーに対して最適化されるように、実験やシミュレーション等によって予め決定されている。第２増幅回路４１は、出力バッファ２３から出力される電圧信号Ｖ３を増幅して電圧信号Ｖａとして出力する。
【００１９】
以上のように構成された変換部１３ａは、制御信号Ｓ１によってオン状態となっている前段増幅器２２および前段増幅器３２のいずれか一方に接続されている受光素子Ａまたは受光素子ａの出力電流を電圧に変換すると共に、制御信号Ｓ２，Ｓ３で選択されている帰還回路２４，２５，３４，３５のうちのいずれか１つで決定されるゲインに第２増幅回路４１のゲインを乗算したゲインで、変換した電圧を増幅して電圧信号Ｖａとして出力する。
【００２０】
次に、他の変換部１３ｂ〜１３ｈについて説明する。なお、各変換部１３ｂ〜１３ｈの基本構成は変換部１３ａと同一のため、相違する構成についてのみ説明する。
【００２１】
まず、変換部１３ｂには、図２に示すように、変換部１３ａにおける受光素子Ａ，ａに代えて、受光素子Ｂ，ｂが接続されている。具体的には、受光素子Ｂは、変換部１３ｂの前段増幅器２２の反転入力部に接続され、受光素子ｂは、前段増幅器３２の反転入力部に接続されている。この構成により、変換部１３ｂは、受光素子Ｂまたは受光素子ｂの出力電流を電圧に変換すると共に増幅して電圧信号Ｖｂとして出力する。
【００２２】
同様にして、変換部１３ｃには、受光素子Ｃ，ｃが接続され、このうちの受光素子Ｃは、変換部１３ｃの前段増幅器２２の反転入力部に接続され、受光素子ｃは前段増幅器３２の反転入力部に接続されている。この構成により、変換部１３ｃは、受光素子Ｃまたは受光素子ｃの出力電流を電圧に変換すると共に増幅して電圧信号Ｖｃとして出力する。また、変換部１３ｄには、受光素子Ｄ，ｄが接続され、このうちの受光素子Ｄは、変換部１３ｄの前段増幅器２２の反転入力部に接続され、受光素子ｄは前段増幅器３２の反転入力部に接続されている。この構成により、変換部１３ｄは、受光素子Ｄまたは受光素子ｄの出力電流を電圧に変換すると共に増幅して電圧信号Ｖｄとして出力する。
【００２３】
一方、変換部１３ｅには、図２に示すように、変換部１３ａにおける受光素子Ａ，ａに代えて、３つの受光素子Ｅ１，Ｆ１，ｅ１が接続されている。具体的には、受光素子Ｅ１，Ｆ１は、共に、変換部１３ｅの前段増幅器２２の反転入力部に接続され、受光素子ｅ１は、前段増幅器３２の反転入力部に接続されている。この構成により、変換部１３ｅは、受光素子Ｅ１，Ｆ１の合計出力電流または受光素子ｅ１の出力電流を電圧に変換すると共に増幅して電圧信号Ｖｅとして出力する。同様にして、変換部１３ｆには、受光素子Ｅ３，Ｆ３，ｅ２が接続され、このうちの受光素子Ｅ３，Ｆ３は、共に、変換部１３ｆの前段増幅器２２の反転入力部に接続され、受光素子ｅ２は、前段増幅器３２の反転入力部に接続されている。この構成により、変換部１３ｆは、受光素子Ｅ３，Ｆ３の出力電流または受光素子ｅ２の出力電流を電圧に変換すると共に増幅して電圧信号Ｖｆとして出力する。
【００２４】
また、変換部１３ｇには、受光素子Ｅ２，Ｆ２，ｆ１が接続され、このうちの受光素子Ｅ２，Ｆ２は、共に、変換部１３ｇの前段増幅器２２の反転入力部に接続され、受光素子ｆ１は、前段増幅器３２の反転入力部に接続されている。この構成により、変換部１３ｇは、受光素子Ｅ２，Ｆ２の出力電流または受光素子ｆ１の出力電流を電圧に変換すると共に増幅して電圧信号Ｖｇとして出力する。また、変換部１３ｈには、受光素子Ｅ４，Ｆ４，ｆ２が接続され、このうちの受光素子Ｅ４，Ｆ４は、共に、変換部１３ｈの前段増幅器２２の反転入力部に接続され、受光素子ｆ２は、前段増幅器３２の反転入力部に接続されている。この構成により、変換部１３ｈは、受光素子Ｅ４，Ｆ４の出力電流または受光素子ｆ２の出力電流を電圧に変換すると共に増幅して電圧信号Ｖｈとして出力する。
【００２５】
次に、光ピックアップ装置１の動作について、記録型ＤＶＤへの記録、ＤＶＤの再生、記録型ＣＤへの記録、およびＣＤの再生についてそれぞれ説明する。
【００２６】
まず、ＤＶＤ−Ｒなどの記録型ＤＶＤに記録する際には、レーザーダイオード２から出力されるレーザー光の波長をＤＶＤ用の波長に設定すると共に、レーザー光のパワーをＤＶＤ記録用のパワーに設定し、かつ各制御信号Ｓ１，Ｓ２の入力状態を、「非入力」、「非入力」とする。なお、制御信号Ｓ３については、「入力」および「非入力」のいずれでもよい。以下、特に言及しない制御信号Ｓ１，Ｓ２，Ｓ３については、その入力状態は問わないものとする。これにより、各変換部１３ａ〜１３ｈの前段増幅器２２がオン状態に移行すると共に、前段増幅器３２がオフ状態に移行する。また、切替スイッチ２６は、図４において実線で示す状態に移行して、前段増幅器２２と出力バッファ２３との間に帰還回路２４を接続する。したがって、変換部１３ａでは、前段増幅器２２および出力バッファ２３が、受光素子Ａの出力電流を電圧に変換すると共に、帰還回路２４で決定されるゲインで増幅して電圧信号Ｖ３として第２増幅回路４１に出力する。次いで、第２増幅回路４１は、入力した電圧信号Ｖ３を増幅して電圧信号Ｖａとして出力する。また、変換部１３ｂ，１３ｃ，１３ｄにおいても、同様にして、受光素子Ｂ，Ｃ，Ｄの各出力電流が電圧に変換されると共に帰還回路２４で決定されるゲインで増幅されて電圧信号Ｖｂ，Ｖｃ，Ｖｄとして出力される。
【００２７】
一方、変換部１３ｅでは、前段増幅器２２および出力バッファ２３が、受光素子Ｅ１，Ｆ１の合計出力電流を電圧に変換すると共に、帰還回路２４で決定されるゲインで増幅して第２増幅回路４１に出力する。次いで、第２増幅回路４１は、入力した電圧信号Ｖ３を増幅して電圧信号Ｖｅとして出力する。また、変換部１３ｆ，１３ｇ，１３ｈにおいても、同様にして、受光素子Ｅ３，Ｆ３の合計出力電流、受光素子Ｅ２，Ｆ２の合計出力電流、受光素子Ｅ４，Ｆ４の合計出力電流が電圧に変換されると共に、帰還回路２４で決定されるゲインで増幅されて電圧信号Ｖｆ，Ｖｇ，Ｖｈとして出力される。この場合、各変換部１３ａ〜１３ｈから出力される電圧信号Ｖａ〜Ｖｈは、データ信号（ＲＦ信号）、およびサーボ信号（フォーカス用信号、トラッキング用信号）として使用される。以下において述べるＤＶＤ再生、ＣＤ記録およびＣＤ再生においても同様である。
【００２８】
また、ＤＶＤを再生する際には、レーザーダイオード２から出力されるレーザー光のパワーをＤＶＤ再生用のパワーに設定すると共に、各制御信号Ｓ１，Ｓ２の入力状態を、「非入力」、「入力」とする。これにより、各変換部１３ａ〜１３ｈの前段増幅器２２がオン状態に移行すると共に、前段増幅器３２がオフ状態に移行する。また、切替スイッチ２６は、図４において破線で示す状態に移行して、前段増幅器２２と出力バッファ２３との間に帰還回路２５を接続する。したがって、変換部１３ａでは、前段増幅器２２および出力バッファ２３が、受光素子Ａの出力電流を電圧に変換すると共に、帰還回路２５で決定されるゲインで増幅して第２増幅回路４１に出力し、第２増幅回路４１は、入力した電圧信号Ｖ３を増幅して電圧信号Ｖａとして出力する。また、変換部１３ｂ，１３ｃ，１３ｄにおいても、同様にして、受光素子Ｂ，Ｃ，Ｄの各出力電流が電圧に変換されると共に帰還回路２５で決定されるゲインで増幅されて電圧信号Ｖｂ，Ｖｃ，Ｖｄとして出力される。
【００２９】
一方、変換部１３ｅでは、前段増幅器２２および出力バッファ２３が、受光素子Ｅ１，Ｆ１に流れる合計出力電流を電圧に変換すると共に、帰還回路２５で決定されるゲインで増幅して、電圧信号Ｖ３として第２増幅回路４１に出力する。次いで、第２増幅回路４１は、入力した電圧信号Ｖ３を増幅して電圧信号Ｖｅとして出力する。また、変換部１３ｆ，１３ｇ，１３ｈにおいても、同様にして、受光素子Ｅ３，Ｆ３の合計出力電流、受光素子Ｅ２，Ｆ２の合計出力電流、受光素子Ｅ４，Ｆ４の合計出力電流が電圧に変換されると共に帰還回路２５で決定されるゲインで増幅されて電圧信号Ｖｆ，Ｖｇ，Ｖｈとして出力される。
【００３０】
また、ＣＤ−Ｒ等の記録型ＣＤに記録する際には、レーザーダイオード２から出力されるレーザー光の波長をＣＤ用の波長に設定すると共に、レーザー光のパワーをＣＤ記録用のパワーに設定し、かつ各制御信号Ｓ１，Ｓ３の入力状態を、「入力」、「非入力」とする。これにより、各変換部１３ａ〜１３ｈの前段増幅器３２がオン状態に移行すると共に、前段増幅器２２がオフ状態に移行する。また、切替スイッチ３６は、図４において実線で示す状態に移行して、前段増幅器３２と出力バッファ２３との間に帰還回路３４を接続する。したがって、変換部１３ａでは、前段増幅器３２および出力バッファ２３が、受光素子ａの出力電流を電圧に変換すると共に、帰還回路３４で決定されるゲインで増幅して、電圧信号Ｖ３として第２増幅回路４１に出力し、第２増幅回路４１は、この電圧信号Ｖ３を増幅して電圧信号Ｖａとして出力する。また、変換部１３ｂ，１３ｃ，１３ｄにおいても、同様にして、受光素子ｂ，ｃ，ｄの出力電流が電圧に変換されると共に帰還回路３４で決定されるゲインで増幅されて電圧信号Ｖｂ，Ｖｃ，Ｖｄとして出力される。
【００３１】
一方、変換部１３ｅでは、前段増幅器３２および出力バッファ２３が、受光素子ｅ１の出力電流を電圧に変換すると共に、帰還回路３４で決定されるゲインで増幅して、電圧信号Ｖ３として第２増幅回路４１に出力する。次いで、第２増幅回路４１は、入力した電圧信号Ｖ３を増幅して電圧信号Ｖｅとして出力する。また、変換部１３ｆ，１３ｇ，１３ｈにおいても、同様にして、受光素子ｅ２，ｆ１，ｆ２の出力電流が電圧に変換されると共に帰還回路３４で決定されるゲインで増幅されて電圧信号Ｖｆ，Ｖｇ，Ｖｈとして出力される。
【００３２】
また、ＣＤ（例えばＣＤ−Ｒ）を再生する際には、レーザーダイオード２から出力されるレーザー光のパワーをＣＤ再生用のパワーに設定すると共に、各制御信号Ｓ１，Ｓ３の入力状態を、「入力」、「入力」とする。これにより、各変換部１３ａ〜１３ｈの前段増幅器３２がオン状態に移行すると共に、前段増幅器２２がオフ状態に移行する。また、切替スイッチ３６は、図４において破線で示す状態に移行して、前段増幅器３２と出力バッファ２３との間に帰還回路３５を接続する。したがって、変換部１３ａでは、前段増幅器３２および出力バッファ２３が、受光素子ａの出力電流を電圧に変換すると共に、帰還回路３５で決定されるゲインで増幅して、電圧信号Ｖ３として第２増幅回路４１に出力し、第２増幅回路４１は、この電圧信号Ｖ３を増幅して電圧信号Ｖａとして出力する。また、変換部１３ｂ，１３ｃ，１３ｄにおいても、同様にして、受光素子ｂ，ｃ，ｄの出力電流が電圧に変換されると共に帰還回路３５で決定されるゲインで増幅されて電圧信号Ｖｂ，Ｖｃ，Ｖｄとして出力される。
【００３３】
一方、変換部１３ｅでは、前段増幅器３２および出力バッファ２３が、受光素子ｅ１の出力電流を電圧に変換すると共に、帰還回路３５で決定されるゲインで増幅して、電圧信号Ｖ３として第２増幅回路４１に出力する。次いで、第２増幅回路４１は、入力した電圧信号Ｖ３を増幅して電圧信号Ｖｅとして出力する。また、変換部１３ｆ，１３ｇ，１３ｈにおいても、同様にして、受光素子ｅ２，ｆ１，ｆ２の出力電流が電圧に変換されると共に帰還回路３５で決定されるゲインで増幅されて電圧信号Ｖｆ，Ｖｇ，Ｖｈとして出力される。
【００３４】
このように、この受光装置４および光ピックアップ装置１によれば、記録型ＤＶＤへの記録、ＤＶＤの再生、記録型ＣＤへの記録、およびＣＤの再生のいずれの処理においても、各受光素子の出力電流を電圧に変換すると共に、各処理について予め決定された最適なゲイン（対応するレーザー波長、並びに記録時および再生時の各レーザー光のパワーに対して最適化されたゲイン）で増幅して電圧信号Ｖａ〜Ｖｈとして出力することができる。また、この受光装置４によれば、２つの第１増幅回路２１，３１のうちの前段増幅器としての各前段増幅器２２，３２をオン・オフ制御可能な構成としたことにより、一方がオン状態（作動状態）のときに他方を常にオフ状態（非作動状態）とすることができる結果、１つの出力バッファ２３を２つの第１増幅回路２１，３１で共有することができる。したがって、チップサイズの拡大を抑制することができる。
【００３５】
なお、本発明は、上記の構成に限定されない。例えば、第１増幅回路２１，３１における帰還回路の数ｍを４とした例について上記したが、記録型ＤＶＤへの記録、ＤＶＤの再生、記録型ＣＤへの記録、およびＣＤの再生の各処理時における最適なゲインのうちの２つが同じときには、その２つで１つの帰還回路を共有する構成を採用することにより、第１増幅回路２１，３１における帰還回路の数ｍを３とすることもできる。また、温度変化や、各受光部１１，１２の経年劣化による出力電流の低下に対応させて、第１増幅回路２１，３１のゲインをさらに多段階に変化可能に、帰還回路の数ｍを５以上とする構成を採用することもできる。
【００３６】
また、ＣＤの記録・再生に必要な７８０ｎｍ帯レーザー光とＤＶＤの記録・再生に必要な６５０ｎｍ帯レーザー光を一つのパッケージから出力する２波長レーザーダイオードに対応して２個（ｎ＝２）の受光部１１，１２を備えた受光装置４を例に挙げて説明したが、受光装置の受光部の数は受光するレーザー光の波長の種類に対応させて３個以上とすることもでき、この場合にも本発明を適用できるのは勿論である。例えば、上記の７８０ｎｍ帯レーザー光と６５０ｎｍ帯レーザー光とに加えて、さらにＢＤ（Ｂｌｕ−ｒａｙ  Ｄｉｓｃ（登録商標））の記録・再生に必要な４０５ｎｍ帯レーザー光も出力可能な３波長レーザーダイオードを用いた場合には、上記の受光部１１，１２にＢＤ用の受光部を加えて受光部の総数を３個（ｎ＝３）とすると共に、ＢＤ用のトランスインピーダンス型の前段増幅器、ＢＤ用の記録・再生用の各帰還用抵抗、およびこれらを切り替える切替部を追加して受光装置を構成する。
【図面の簡単な説明】
【００３７】
【図１】光ピックアップ装置１の構成図である。
【図２】受光装置４の構成図である。
【図３】受光部１１，１２の平面図である。
【図４】変換部１３ａ〜１３ｈの構成図である。
【符号の説明】
【００３８】
１  光ピックアップ装置
２  レーザーダイオード
３  光学系
４  受光装置
２１，３１  第１増幅回路（前段増幅器）
２２，３２  前段増幅器
２３  出力バッファ（後段増幅器）
２４ａ，２５ａ，３４ａ，３５ａ  抵抗（帰還用抵抗）
２６，３６  切替スイッチ
Ａ〜Ｆ３，ａ〜ｆ２  受光素子
Ｖ１〜Ｖ３  電圧信号
【図１】
2008159106.tif 000003
【図２】
2008159106.tif 000004
【図３】
2008159106.tif 000005
【図４】
2008159106.tif 000006